(57)【要約】【課題】レンズブロックに取り付けられたレンズを容易に取り外すことができ、取り外されたレンズの再利用や資源の分別回収をすることができるレンズブロック、画像読取ユニット、及び、画像形成装置を提供する。【解決手段】画像形成装置１に用いられる画像読取ユニット４のレンズブロック１６は鏡筒３９と該鏡筒３９内に収容されるレンズ４０，４０ａ，４０ｂとを備えている。鏡筒３９内の空間はレンズ４０，４０ａ，４０ｂにより第１の空間Ａと第２の空間Ｂとに仕切られている。レンズ４０，４０ａ，４０ｂは第１の空間Ａと第２の空間Ｂとのうち一方側から鏡筒３９内に圧入される。鏡筒３９にはレンズ４０，４０ａ，４０ｂを鏡筒３９から取り出すことが可能な工具５１が差し込まれる孔４９ａ，４９ｂが少なくとも１つ設けられている。孔４９ａ，４９ｂは第１の空間Ａと第２の空間Ｂとのうち他方と連通している。【選択図】図７
2006133457.tif 000002
【特許請求の範囲】
【請求項１】
鏡筒と、前記鏡筒内に収容される少なくとも１つのレンズと、を備えたレンズブロックであって、
前記鏡筒内の空間が、前記レンズにより第１の空間と第２の空間とに仕切られているとともに、前記レンズが、前記第１の空間と第２の空間とのうちの一方から前記鏡筒内に圧入されるレンズブロックにおいて、
前記鏡筒には、前記レンズを前記鏡筒から取り出すことが可能な工具が差し込まれる孔が少なくとも１つ設けられ、そして、
前記孔が、前記第１の空間と第２の空間のうちの他方に通じ、挿入された工具が前記レンズに接触する位置に設けられていることを特徴とするレンズブロック。
【請求項２】
前記孔が、前記工具が前記レンズの光軸方向に沿って前記鏡筒内に差し込まれるように設けられていることを特徴とする請求項１に記載のレンズブロック。
【請求項３】
前記孔が、前記工具が前記レンズの光軸に対して交差する方向に沿って前記鏡筒内に差し込まれるように設けられていることを特徴とする請求項１に記載のレンズブロック。
【請求項４】
前記レンズが、中央寄りの透光範囲と、外縁寄りの非透光範囲とを備えているとともに、前記孔が、前記レンズの前記非透光範囲に面していることを特徴とする請求項１乃至請求項３のうちいずれか一項に記載のレンズブロック。
【請求項５】
前記レンズが複数枚設けられており、そして、
前記孔が、前記レンズより一つ少ない数以上設けられていることを特徴とする請求項１乃至請求項４のうちいずれか一項に記載のレンズブロック。
【請求項６】
前記孔が、前記鏡筒に前記レンズの光軸を中心として周方向に複数個設けられていることを特徴とする請求項１乃至請求項５のうちいずれか一項に記載のレンズブロック。
【請求項７】
前記鏡筒と前記レンズが、前記孔と異なる位置に設けられかつ前記レンズが鏡筒内から外れることを防止するためのレンズ抜け防止用接着剤で接着されていることを特徴とする請求項１乃至請求項６のうちいずれか一項に記載のレンズブロック。
【請求項８】
前記孔が、薄肉部により塞がれていることを特徴とする請求項１乃至請求項７のうちいずれか一項に記載のレンズブロック。
【請求項９】
鏡筒と、鏡筒内に収容される少なくとも１つのレンズと、を備えたレンズブロックであって、
前記鏡筒内の空間が、前記レンズにより第１の空間と第２の空間とに仕切られているとともに、前記レンズが、第１の空間と第２の空間とのうちの一方から前記鏡筒内に圧入されるレンズブロックにおいて、
前記鏡筒の内周面には、前記レンズを引っ掛けることが可能な工具が差し込まれる溝が少なくとも１つ設けられ、そして、
前記溝が、前記第１の空間と第２の空間とを互いに連通させ、挿入された前記工具が前記レンズに接触する位置に設けられていることを特徴とするレンズブロック。
【請求項１０】
前記溝が、前記鏡筒に前記レンズの光軸を中心として周方向に複数個設けられていることを特徴とする請求項９に記載のレンズブロック。
【請求項１１】
原稿からの反射像を光電変換素子によって読みとる画像読み取りユニットにおいて、
請求項１乃至請求項１０のうちいずれか一項に記載のレンズブロックが備えられていることを特徴とする画像読み取りユニット。
【請求項１２】
請求項１１に記載の画像読み取りユニットが備えられていることを特徴とする画像形成装置。
【発明の詳細な説明】
【技術分野】
【０００１】
本発明は、複写機、ファクシミリ、スキャナ等に用いられるレンズブロック、画像形成装置及び画像読み取りユニットに関し、さらに詳しくは、鏡筒内に圧入されたレンズを容易に取り外すことができる構造を有するレンズブロック、かかるレンズブロックを有する画像読み取りユニット及びそれを有する画像形成装置に関する。
【背景技術】
【０００２】
従来から、複写機、ファクシミリ、スキャナ装置等の画像形成装置に備えられる画像読み取りユニットは、二つ以上のレンズ群からなる結像レンズ系を有するレンズブロックを備えたものが知られている。この従来の画像読み取りユニットのレンズブロックは、副走査方向に原稿の照明光源を移動させ、原稿からの反射像を結像レンズ系に通してライン型光電変換素子に縮小結像させ、このライン型光電変換素子に結像された結像光束を光電変換して画像読み取り信号として出力するようになっている。
【０００３】
その画像読み取りユニットのレンズブロックでは、ライン型光電変換素子の受光面上から結像光束が光軸方向にずれると、読み取り画像の劣化が生じることから、各レンズ群の間隔を調整し、読み取り画像が設計規格を満足するようにレンズ群の間隔の調整を行っている。
【０００４】
また、この画像読み取りユニットのレンズブロックでは、レンズ群を構成するレンズの表面のうち中央の矩形状の部分が、ライン型光電変換素子の結像に寄与する。この矩形状の部分の収差等の結像性能は、レンズの光軸を中心とした周方向にばらつきがある。このため、矩形状の部分がライン型光電変換素子に平行になるようにレンズを位置決めし、結像光束の結像位置がライン型光電変換素子の受光面上に結像するようにレンズとライン型光電変換素子との間隔を調整しても、レンズを回転させて矩形状の部分がライン型光電変換素子と平行になるようにセットすると、結像光束の結像位置がライン型光電変換素子の受光面上から光軸方向にずれることがあり、画像品質の劣化を招くことがあった。
【０００５】
とくに、カラー画像を読み取るための画像読み取りユニットのレンズブロックに用いられるレンズでは、青色波長、緑色波長、赤色波長とで結像位置がレンズの回転方向にずれていると、カラー画像を良好に再現することができないことになる。従って、レンズを光軸を中心とした周方向に調整することも必要である。
【０００６】
このように、レンズ群の原稿から入射される反射像の光軸とライン型光電変換素子との光軸とを同一線上に位置付けなければならないため、画像読み取りユニットのレンズブロックに用いられるレンズの固定構造として、例えば、特許文献１参照のようなレンズの固定構造がある。
【０００７】
特許文献１の画像読み取りユニットのレンズブロックは、筐体と、レンズと、一対の中間保持部材と、を備えている。筐体は、矩形状に形成され、両表面が原稿からの反射像の光軸に沿うように位置付けられる。レンズは、両表面が円弧状で、光軸方向に厚みがある円柱状に形成されている。レンズは、レンズの光軸が原稿からの反射像の光軸に沿うように筐体に位置付けられる。中間保持部材は、第１の取付面と、第２の取付面とを備え、Ｌ字状に形成されている。第１の取付面と第２の取付面とは、直交している。
【０００８】
中間保持部材の第１の取付面とレンズの側面とが、接着剤により固定され、中間保持部材の第２の取付面と筐体とが、接着剤により固定される。こうして、筐体とレンズとが中間保持部材を介して固定されることによって、レンズ群の原稿から入射される反射像の光軸とライン型光電変換素子との位置を調整する。
【特許文献１】特開２００２−６１８８号公報
【発明の開示】
【発明が解決しようとする課題】
【０００９】
しかしながら、上述したレンズブロックは、レンズブロックの筐体に取り付けられたレンズを容易に取り外すことができなかった。それゆえ、取り外されたレンズの再使用や資源の分別回収をすることも困難であった。
【００１０】
本発明は、以上の背景に鑑みてなされたものであり、レンズブロックに取り付けられたレンズを容易に取り外すことができ、取り外されたレンズの再利用や資源の分別回収をすることができるレンズブロック、画像読み取りユニット、及び、画像形成装置を提供することを目的としている。
【課題を解決するための手段】
【００１１】
前記課題を解決し目的を達成するために、請求項１に記載の本発明のレンズブロックは、鏡筒と、前記鏡筒内に収容される少なくとも１つのレンズと、を備えたレンズブロックであって、前記鏡筒内の空間が、前記レンズにより第１の空間と第２の空間とに仕切られているとともに、前記レンズが、前記第１の空間と第２の空間とのうちの一方から前記鏡筒内に圧入されるレンズブロックにおいて、前記鏡筒には、前記レンズを前記鏡筒から取り出すことが可能な工具が差し込まれる孔が少なくとも１つ設けられ、そして、前記孔が、前記第１の空間と第２の空間のうちの他方に通じ、挿入された工具が前記レンズに接触する位置に設けられていることを特徴としている。
【００１２】
請求項２に記載の本発明のレンズブロックは、請求項１に記載のレンズブロックにおいて、前記孔が、前記工具が前記レンズの光軸方向に沿って前記鏡筒内に差し込まれるように設けられていることを特徴としている。
【００１３】
請求項３に記載の本発明のレンズブロックは、請求項１に記載のレンズブロックにおいて、前記孔が、前記工具が前記レンズの光軸に対して交差する方向に沿って前記鏡筒内に差し込まれるように設けられていることを特徴としている。
【００１４】
請求項４に記載の本発明のレンズブロックは、請求項１乃至請求項３のうちいずれか一項に記載のレンズブロックにおいて、前記レンズが、中央寄りの透光範囲と、外縁寄りの非透光範囲とを備えているとともに、前記孔が、前記レンズの前記非透光範囲に面していることを特徴としている。
【００１５】
請求項５に記載の本発明のレンズブロックは、請求項１乃至請求項４のうちいずれか一項に記載のレンズブロックにおいて、前記レンズが複数枚設けられており、前記孔が、前記レンズより一つ少ない数以上設けられていることを特徴としている。
【００１６】
請求項６に記載の本発明のレンズブロックは、請求項１乃至請求項５のうちいずれか一項に記載のレンズブロックにおいて、前記孔が、前記鏡筒に前記レンズの光軸を中心として周方向に複数個設けられていることを特徴としている。
【００１７】
請求項７に記載の本発明のレンズブロックは、請求項１乃至請求項６のうちいずれか一項に記載のレンズブロックにおいて、前記鏡筒と前記レンズが、前記孔と異なる位置に設けられかつ前記レンズが鏡筒内から外れることを防止するためのレンズ抜け防止用接着剤で接着されていることを特徴としている。
【００１８】
請求項８に記載の本発明のレンズブロックは、請求項１乃至請求項７のうちいずれか一項に記載のレンズブロックにおいて、前記孔が、薄肉部により塞がれていることを特徴としている。
【００１９】
請求項９に記載の本発明のレンズブロックは、鏡筒と、鏡筒内に収容される少なくとも１つのレンズと、を備えたレンズブロックであって、前記鏡筒内の空間が、前記レンズにより第１の空間と第２の空間とに仕切られているとともに、前記レンズが、第１の空間と第２の空間とのうちの一方から前記鏡筒内に圧入されるレンズブロックにおいて、前記鏡筒の内周面には、前記レンズを引っ掛けることが可能な工具が差し込まれる溝が少なくとも１つ設けられ、そして、前記溝が、前記第１の空間と第２の空間とを互いに連通させ、挿入された前記工具が前記レンズに接触する位置に設けられていることを特徴としている。
【００２０】
請求項１０に記載の本発明のレンズブロックは、請求項９に記載のレンズブロックにおいて、前記溝が、前記鏡筒に前記レンズの光軸を中心として周方向に複数個設けられていることを特徴としている。
【００２１】
請求項１１に記載の本発明の画像読み取りユニットは、原稿からの反射像を光電変換素子によって読みとる画像読み取りユニットにおいて、請求項１乃至請求項１０のうちいずれか一項に記載のレンズブロックが備えられていることを特徴としている。
【００２２】
請求項１２に記載の本発明の画像形成装置は、請求項１１に記載の画像読み取りユニットが備えられていることを特徴としている。
【発明の効果】
【００２３】
以上説明したように、請求項１に記載の本発明は、第１の空間と第２の空間のうち一方から鏡筒内に圧入されたレンズの第１の空間と第２の空間のうち他方側を、鏡筒に設けられた孔から挿入された工具で押すことにより、レンズを鏡筒から容易に取り外すことができる。また、取り外されたレンズの再利用や資源の分別回収を容易に行うことができる。
【００２４】
請求項２に記載の本発明は、鏡筒の孔がレンズの光軸方向に沿って設けられているので、孔から挿入した工具を第１の空間と第２の空間のうち一方から鏡筒内に圧入されたレンズの第１の空間と第２の空間のうち他方側に当接させ、工具でレンズを光軸方向に沿って押すことにより、レンズを鏡筒から容易に取り外すことができる。
【００２５】
請求項３に記載の本発明は、鏡筒の孔がレンズの光軸方向に対して交差する方向に沿って設けられているので、孔から挿入した工具を第１の空間と第２の空間のうち一方から鏡筒内に圧入されたレンズに当接させ、レンズを光軸方向に沿って押すことにより、レンズが第２の空間から第１の空間に向かってずれる。こうして、レンズを鏡筒から容易に取り外すことができる。
【００２６】
請求項４に記載の本発明は、孔がレンズの非透光範囲に面しているので、鏡筒内に挿入された工具がレンズの非透光範囲に当接する。このため、工具がレンズの非透光範囲に当接するので、鏡筒内に圧入されたレンズの透光範囲を傷つけることなく、レンズを鏡筒から取り外すことができる。それゆえ、取り外されたレンズの再利用や資源の分別回収をすることができる。
【００２７】
請求項５に記載の本発明は、鏡筒の孔がレンズより一つ少ない数以上設けられているので、鏡筒内に最後に残った工具挿入用の孔が設けられていないレンズに、鏡筒内に挿入された工具を突き当てることにより、レンズを鏡筒外に取り出すことができる。それゆえ、鏡筒内に圧入された全てのレンズを容易に鏡筒から取り外すことができる。
【００２８】
請求項６に記載の本発明は、孔が鏡筒にレンズの光軸を中心として周方向に複数個設けられているので、鏡筒に複数個設けられた孔からレンズを取り出す工具を同時に複数個入れ、これらの工具でレンズを押すことにより、一枚のレンズを傾かせずに鏡筒から取り外すことができる。このため、レンズを鏡筒に噛ませること無く、また、レンズに傷を付けることなく圧入されたレンズを鏡筒から容易に取り外すことができる。それゆえ、取り外されたレンズの再利用や資源の分別回収をすることができる。
【００２９】
請求項７に記載の本発明は、鏡筒とレンズが工具挿入用の孔と異なる位置に設けられかつレンズが鏡筒内から外れることを防止するためのレンズ抜け防止用接着剤で接着されているので、レンズが振動等により鏡筒から外れることを防止できる。また、孔がレンズ抜け防止用接着剤で覆われないようにすることで、鏡筒からレンズを取り外す際に、孔に工具を入れることができ、鏡筒からレンズを容易に取り外すことができる。
【００３０】
請求項８に記載の本発明は、孔が薄肉部により塞がれているので、レンズを鏡筒から取り外す際に、薄肉部に工具を突き刺すことにより、薄肉部を突き破ることができる。このため、鏡筒に工具を差し込む孔が形成され、レンズにこの孔から挿入された工具を突き当てることにより、鏡筒からレンズを容易に取り外すことができる。また、鏡筒にはじめから孔が開いていないので、レンズへのごみや水分の付着を防ぐことができる。
【００３１】
請求項９に記載の本発明は、第１の空間と第２の空間のうち一方から鏡筒内に圧入されたレンズの第１の空間と第２の空間のうち他方側を、鏡筒に設けられた溝から挿入された工具で引っ掛け、さらに、引っ張ることにより、鏡筒からレンズを容易に取り外すことができる。また、鏡筒の周方向の外表面が別の構造体で覆われているときでもレンズを鏡筒から取り外すことができる。
【００３２】
請求項１０に記載の本発明は、溝が鏡筒にレンズの光軸を中心として周方向に複数個設けられているので、鏡筒に複数個設けられた溝からレンズを取り出す工具を同時に複数個入れ、これらの工具でレンズを引っ掛け、さらに、引っ張ることにより、一枚のレンズを傾かせずに鏡筒から取り外すことができる。このため、レンズを鏡筒に噛ませること無く、また、レンズに傷を付けることなく圧入されたレンズを鏡筒から容易に取り外すことができる。それゆえ、取り外されたレンズの再利用や資源の分別回収をすることができる。
【００３３】
請求項１１に記載の本発明は、請求項１乃至請求項１０のいずれかのレンズブロックが備えられているため、鏡筒からレンズを容易に取り外すことができる。また、原稿からの反射像を光電変換素子によって読みとる画像読み取りユニットとしての再使用や資源の分別回収に貢献できる。
【００３４】
請求項１２に記載の本発明は、請求項１１の画像読み取りユニットが備えられているため、鏡筒からレンズを容易に取り外すことができる。また、画像読み取りユニットとしての再使用や資源の分別回収がやりやすいため、画像形成装置としての再使用や資源の分別回収に貢献できる。
【発明を実施するための最良の形態】
【００３５】
以下、本発明の第１の実施形態にかかる画像形成装置、画像読み取りユニット及びレンズブロックを、図１乃至図７に基づいて説明する。
【００３６】
画像形成装置１は、図１に示すように、装置本体２と、自動原稿送り装置３と、画像読み取りユニット４と、給紙ユニット５と、書込ユニット６とを備えている。
【００３７】
装置本体２は、例えば、箱状に形成され、フロア上などに設置される。装置本体２は、画像読み取りユニット４と、給紙ユニット５と、書込ユニット６と、を収容している。
【００３８】
自動原稿送り装置３は、装置本体２の上部に取り付けられている。自動原稿送り装置３は、原稿載置板７と、ベルト送り装置８とを備えている。原稿載置板７は、平板状に形成され、装置本体２の上部に取り付けられているとともに、表面上に複数枚の原稿９が載置される。ベルト送り装置８は、原稿載置板７上の原稿９を一枚ずつ後述するコンタクトガラス１０上に送り出すとともに、後述のレンズブロック１６により反射像が読み取られた原稿９をコンタクトガラス１０上から装置本体２外に排出する。
【００３９】
画像読み取りユニット４は、装置本体２の上部でかつ前述した自動原稿送り装置３の下方に設けられ、原稿を載置するコンタクトガラス１０と光学走査系１１とを備えている。コンタクトガラス１０は、両表面が水平方向と平行な状態で、装置本体２の上面に取り付けられている。光学走査系１１は、露光ランプ１２、第１ミラー１３、第２ミラー１４、第３ミラー１５及びレンズブロック１６などを備えている。
【００４０】
露光ランプ１２は、コンタクトガラス１０上の原稿９に光を照射する。第１ミラー１３、第２ミラー１４及び第３ミラー１５は、原稿９からの反射像をレンズブロック１６に導く。露光ランプ１２及び第１ミラー１３は、図示しない第１キャリッジ上に固定され、第２ミラー１４及び第３ミラー１５は、図示しない第２キャリッジ上に固定されている。原稿を読み取る際には、光路長が変化しないように第１キャリッジと第２キャリッジとは２対１の相対速度で機械的に移動される。この光学走査系１１の前述した第１キャリッジと第２キャリッジとは、図示しないスキャナ駆動モータによって移動される。
【００４１】
レンズブロック１６は、結像レンズ系３１と、イメージセンサ３２などを備えている。なお、このレンズブロック１６の詳細な構成は、後ほど説明する。レンズブロック１６は、前述した原稿の反射像をイメージセンサ３２によって読み取り、光信号から電気信号に変換して処理する。変換された電気信号は、図示しない画像処理部に向かって出力する。結像レンズ系３１及びＣＣＤイメージセンサ３２を図１おいて左右方向（水平方向）に移動させると画像倍率を変化させることができる。すなわち、指定された倍率に対応して結像レンズ系３１及びＣＣＤイメージセンサ３２の図１における左右方向の位置が設定される。
【００４２】
給紙ユニット５は、装置本体２の下部に設けられた複数の転写紙収容部１９と、転写紙送り出しユニット２０と、を備えている。転写紙収容部１９は、複数の転写紙２１を収容する。転写紙送り出しユニット２０は、転写紙収容部１９内の転写紙２１を、後述するレジストローラ２５間に送り出す。給紙ユニット５は、転写紙収容部１９内の転写紙２１を一枚ずつレジストローラ２５間則ち書込ユニット６に向けて送り出す。
【００４３】
書込ユニット６は、レーザ出力ユニット２２と、結像レンズ２３と、ミラー２４と、レジストローラ２５と、感光体ドラム２６と、現像装置２７と、転写部材２８と、定着装置２９とを備えている。
【００４４】
レーザ出力ユニット２２の内部には、レーザ光源であるレーザダイオード及びモータによって高速で定速回転するポリゴンミラーが設けられている。レーザ出力ユニット２２から照射されるレーザ光は、前記定速回転するポリゴンミラーによって偏向され、結像レンズ２３を通ってミラー２４で折り返され、感光体ドラム２６の外周面上に集光されて結像する。偏向されたレーザ光は、感光体ドラム２６が回転する方向と直交する所謂主走査方向に露光走査され、図示しない画像処理部から出力された画像信号のライン単位の記録を行う。そして、書込ユニット６は、感光体ドラム２６の回転速度と記録密度に対応した所定の周期で主走査を繰り返すことによって感光体ドラム２６の外周面上に画像、すなわち静電潜像を形成する。
【００４５】
このように書込ユニット６から出力されるレーザ光が、画像作像系の感光体ドラム２６に照射されるが、感光体ドラム２６の一端近傍のレーザ光の照射位置に主走査同期信号を発生する図示しないビームセンサが配されている。このビームセンサから出力される主走査同期信号に基づいて主走査方向の画像記録タイミングの制御、及び後述する画像信号の入出力用の制御信号の生成が行われる。
【００４６】
レジストローラ２５は、転写紙送り出しユニット２０により転写紙収容部１９から送り出されてきた転写紙２１を転写部材２８と感光体ドラム２６との間に送り出す。感光体ドラム２６は、軸芯を中心として回転自在な円柱状又は円筒状に形成されている。感光体ドラム２６は、レーザ出力ユニット２２により形成され且つ担持する静電潜像にトナーが付着して現像し、こうして得られたトナー像を転写部材２８との間に位置付けられた転写紙２１に転写する。
【００４７】
現像装置２７は、トナーを感光体ドラム２６の外周面に付着させて、該感光体ドラム２６の外周面上の静電潜像を現像する。転写部材２８は、転写紙２１を感光体ドラム２６の外周面に押し付けて、感光体ドラム２６の外周面上のトナーを転写紙２１に転写するとともに、該転写紙２１を定着装置２９に向けて送り出す。定着装置２９は、感光体ドラム２６などに形成されたトナー像を転写紙２１に定着させ、転写紙２１を装置本体２外に排出する。
【００４８】
前述した画像形成装置１は、自動原稿送り装置３が、原稿を画像読み取りユニット４のコンタクトガラス１０上に自動的に給送し、読み取りが終了した原稿を自動的に排出する。画像形成装置１は、画像読み取りユニット４が、コンタクトガラス１０上にセットされた原稿に光を照射し、この原稿からの反射像を後述する光電変換素子としてのライン型光電変換素子４２によって読み取る。
【００４９】
画像形成装置１は、書込ユニット６が、読み取られた原稿の画像信号に応じて感光体ドラム２６上に画像を形成し、給紙ユニット５から給紙された転写紙２１上に画像を転写して定着する。画像形成装置１は、定着が完了した転写紙２１を装置本体２外に排出する。
【００５０】
レンズブロック１６は、図２及び図３に示すように、ベース部材３０と、結像レンズ系３１と、イメージセンサ３２と、複数の中間保持部材３３とを備えている。
【００５１】
ベース部材３０は、平面形状が矩形状でかつ両表面が水平方向と平行な状態に配される平板部３４と、この平板部３４から立設した立設部３５と、を備えている。平板部３４則ちベース部材３０は、図１中の左右方向に沿って、移動自在に設けられる。なお、平板部３４の長手方向は、前述した図１中の左右方向と平行となる。
【００５２】
立設部３５は、平板部３４の図１中の左右方向の一方の端則ち長手方向の一方の端から立設している。立設部３５は、平板部３４の幅方向の両端から立設した一対の立設柱３６と、これらの立設柱３６の平板部３４から離れた側の端部同士を連結した連結柱３７と、を備えて、枠状に形成されている。
【００５３】
結像レンズ系３１は、二つの光学ユニット３８を備えている。光学ユニット３８は、互いに別体である。光学ユニット３８は、鏡筒３９と、この鏡筒３９内に収容されるレンズ４０とを備えている。
【００５４】
鏡筒３９は、合成樹脂からなり、周知の射出成型などにより成型される。鏡筒３９は、図２乃至図７に示すように、大径部３９ａと、小径部３９ｂとを一体に備えている。大径部３９ａ及び小径部３９ｂは、それぞれ、孔４９ａ，４９ｂが設けられている。大径部３９ａ及び小径部３９ｂは、それぞれ、小外径が軸心方向に一定の円筒状に形成されている。小径部３９ｂは、大径部３９ａの端部に連なりかつ前記大径部３９ａより内外径が小径である。大径部３９ａと小径部３９ｂとは、それぞれ、軸心に関して軸対象形状に形成されている。さらに、大径部３９ａと小径部３９ｂとが、同軸に設けられている。
【００５５】
鏡筒３９内の空間は、鏡筒３９内に圧入される後述するレンズ４０により、第１の空間Ａと、第２の空間Ｂとに仕切られる。大径部３９ａ内に空間が該大径部３９ａ内に挿入されるレンズ４０（以下符号４０ａで示す）により、第１の空間Ａと第２の空間Ｂとに仕切られ、小径部３９ｂ内に空間が該小径部３９ｂ内に挿入されるレンズ４０（以下符号４０ｂで示す）により、第１の空間Ａと第２の空間Ｂとに仕切られている。このため、鏡筒３９内の空間は、レンズ４０ａ，４０ｂによりあたかも前述した第１の空間Ａと第２の空間Ｂとが後述する光軸Ｏに沿って交互に設けられている。なお、図示例では、レンズ４０ａ，４０ｂ間の空間には、第２の空間Ｂと第１の空間Ａとが形成されているが、これらの空間Ｂ，Ａ間には境界が設けられていない。このように、本明細書では、レンズ４０ａ，４０ｂ間の空間に境界が設けられていなくても、第１の空間Ａと第２の空間Ｂとが設けられていると記す。
【００５６】
孔４９a，４９ｂは、鏡筒３９の周壁を貫通して、鏡筒３９の内外を連通している。孔４９ａは、レンズ４０の光軸Ｏに沿う方向に伸びており、大径部３９ａ内の第２の空間Ｂに通じている。即ち、孔４９ａは、後述の工具５１が光軸Ｏに沿って鏡筒３９内に差し込まれるように設けられている。孔４９ｂは、レンズ４０の光軸Ｏに対して交差する方向に沿って伸びており、小径部３９ｂ内の第１の空間Ａに通じている。即ち、孔４９ｂは、後述の工具５１が光軸Ｏに対し交差する方向に沿って鏡筒３９内に差し込まれるように設けられている。
【００５７】
孔４９a，４９ｂは、後述するレンズ４０の非透光範囲Ｍに面している。孔４９a，４９ｂは、図５に示すように、鏡筒３９に周方向に等間隔に複数設けられている。孔４９a，４９ｂの内径は、図６に示すように、ドライバ等の工具５１の外径よりも大きい。孔４９a，４９ｂには、工具５１が差し込まれる。このため、孔４９a，４９ｂは、孔４９a，４９ｂ内に挿入された工具５１が後述するレンズ４０ｂの非透光範囲Ｍに接触する位置に設けられている。
【００５８】
孔４９ａ，４９ｂは、後述する接着剤５０が充填されてなく、該接着剤５０でふさがれていない。切り欠き３３ａ内には、レンズ４０ａ，４０ｂを鏡筒３９から取り外すことが可能な工具５１の先端が侵入可能である。即ち、孔４９ａ，４９ｂは、前述した工具５１挿入用の孔（空間）である。
【００５９】
レンズ４０ａ，４０ｂは、少なくとも一つが、鏡筒３９内に圧入されている（図示例では、二つ圧入されている）。レンズ４０ａ，４０ｂは、１枚または複数枚のレンズから構成されている。図示例では、レンズ４０ａ，４０ｂは、一つの鏡筒３９に二つ設けられている。一方のレンズ４０ａは、図４及び図６，図７に示すように、大径部３９ａ内に収容され、他方のレンズ４０ｂは、図４及び図６，図７に示すように、小径部３９ｂ内に収容されている。
【００６０】
これらのレンズ４０ａ，４０ｂの光軸Ｏは、互いに同一線上に配されている。即ち、レンズ４０ａ，４０ｂ同士は、互いに同軸に設けられている。レンズ４０ａ，４０ｂの光軸Ｏは、前述した大径部３９ａ及び小径部３９ｂ即ち鏡筒３９の軸心と同一線上に配されている。即ち、これらレンズ４０ａ，４０ｂと、大径部３９ａ及び小径部３９ｂ即ち鏡筒３９とは、互いに同軸に設けられている。
【００６１】
レンズ４０ａ，４０ｂは、原稿９からの反射像が通る透光範囲Ｌと、原稿９からの反射像を通さない非透光範囲Ｍと、を備えている。レンズ４０ａ，４０ｂの透光範囲Ｌは、レンズ４０ａ，４０ｂの表面の中央寄りの部分であり、レンズ４０ａ，４０ｂの非透光範囲Ｍは、レンズ４０ａ，４０ｂの外縁寄りの部分である。
【００６２】
レンズ４０ａは、第１の空間Ａ側から大径部３９ａ即ち鏡筒３９内に圧入される。レンズ４０ｂは、第２の空間Ｂ側から小径部３９ｂ即ち鏡筒３９内に圧入される。要するに、レンズ４０ａ，４０ｂは、第１の空間Ａと第２の空間Ｂとのうちの一方側から鏡筒３９内に圧入される。
【００６３】
さらに、レンズ４０ａの非透光範囲Ｍの第１の空間Ａ側の外縁と、大径部３９ａの第１の空間Ａ側の内周面とには、図４に示すように、レンズ抜け防止用接着剤５０が充填されている。レンズ４０ｂの非透光範囲Ｍの第２の空間Ｂ側の外縁と、小径部３９ｂの第２の空間Ｂ側の内周面とには、図４に示すように、レンズ抜け防止用接着剤５０が充填されている。レンズ抜け防止用接着剤５０は、固化することにより、鏡筒３９とレンズ４０ａとを接着して、レンズ４０ａが鏡筒３９内から外れることを防止する。このように、鏡筒３９と前記レンズ４０ａ，４０ｂが、前記孔１９ａ，４９ｂと異なる位置に設けられたレンズ抜け防止用接着剤５０で鏡筒４０に接着されている。
【００６４】
また、二つの光学ユニット３８は、互いに光軸が同一直線上に位置するように配されている。鏡筒３９則ち光学ユニット３８は、ベース部材３０の平板部３４に中間保持部材３３を介して取り付けられている。前述した構成の結像レンズ系３１即ちレンズブロック１６は、原稿９からの反射像をイメージセンサ３２のライン型光電変換素子４２に結像させる。
【００６５】
イメージセンサ３２は、パッケージ４１と、光電変換素子としてのライン型光電変換素子４２とを備えている。パッケージ４１は、例えば、セラミックスからなるベース４３と、セラミックスからなるウィンドフレーム４４と、封止ガラス４５とを備えている。ベース４３は、平板状に形成されており、表面上にライン型光電変換素子４２が取り付けられる。ウィンドフレーム４４は、枠状に形成されており、ベース４３の外縁部に重ねられた格好で該ベース４３に接着剤で固定される。封止ガラス４５は、平板状に形成され、かつ外縁部がウィンドフレーム４４に重ねられた格好で、該ウィンドフレーム４４に接着剤で固定される。前述したパッケージ４１は、ベース４３とウィンドフレーム４４と封止ガラス４５とで、ライン型光電変換素子４２を覆う。また、パッケージ４１は、印刷配線板４６などに取り付けられる。
【００６６】
ライン型光電変換素子４２は、光電変換素子であるＰＤ（Ｐｈｏｔｏ  Ｄｉｏｄｅ）と電荷搬送素子であるＣＣＤ（Ｃｈａｒｇｅ  Ｃｏｕｐｌｅｄ  Ｄｅｖｉｃｅ）が直線上に並べられて構成されている。ライン型光電変換素子４２の長手方向は、主走査方向と平行になる。
【００６７】
また、前述したイメージセンサ３２は、印刷配線板４６の導体パターンと、前述したライン型光電変換素子４２の電極などとを互いに電気的に接続するためのパッケージ４１に設けられた電極やリード線などを備えている。さらに、前述したイメージセンサ３２は、封止ガラス４５が立設部３５の内側を通して、結像レンズ系３１と相対する状態で、中間保持部材３３を介して、ベース部材３０の立設部３５に取り付けられている。
【００６８】
中間保持部材３３は、例えば、透明の光を透過する合成樹脂からなり、第１の取付部４７と、第２の取付部４８とを一体に備えている。第１の取付部４７と第２の取付部４８は、それぞれ、平板状に形成されている。第１の取付部４７の縁から第２の取付部４８が立設している。第１の取付部４７と第２の取付部４８とのなす角度は、図示例では、９０度となっている。
【００６９】
中間保持部材３３は、第１の取付部４７がベース部材３０に重ねられ、第２の取付部４８が鏡筒３９及びイメージセンサ３２のパッケージ４１に重ねられ、取付部４７，４８とベース部材３０、鏡筒３９及びイメージセンサ３２のパッケージ４１との間に例えば紫外線などの光が照射されると硬化する光硬化型の接着剤が充填されて、ベース部材３０に鏡筒３９則ち結像レンズ系３１及びパッケージ４１則ちイメージセンサ３２を取り付ける。ベース部材３０に取り付けられると、結像レンズ系３１とイメージセンサ３２の光軸Ｏ（図２中に一点鎖線で示す）は、同一線上に位置する。
【００７０】
次に、光学ユニット３８のレンズ４０ａを鏡筒３９から取り外す手順を、以下説明する。まず、レンズ４０ａを大径部３９ａ即ち鏡筒３９から取り外す際には、図６に示すように、鏡筒３９の大径部３９ａに設けられた孔４９ａにドライバ等の工具５１を差し込み、工具５１の先端を第２の空間Ｂ内に挿入する。そして、差し込んだ工具５１の先端をレンズ４０の非透光範囲Ｍに当接させる。そして、工具５１の先端を第２の空間Ｂから第１の空間Ａに向かって動かすことにより、工具５１の先端がレンズ４０ａの非透光範囲Ｍを押す。このため、レンズ４０ａが第２の空間Ｂから第１の空間Ａに向かってずれる。こうして、レンズ４０ａを鏡筒３９の大径部３９ａから取り出す。
【００７１】
また、レンズ４０ａを小径部３９ｂ即ち鏡筒３９から取り外す際には、図７に示すように、鏡筒３９の小径部３９ｂに設けられた孔４９ｂにドライバ等の工具５１を差し込み、工具５１の先端を第２の空間Ｂ内に挿入する。そして、差し込んだ工具５１の先端をレンズ４０ｂの非透光範囲Ｍに当接させる。そして、工具５１の基端が大径部３９ａに近づくように該工具５１を回転し、工具５１の先端を孔４９ｂのレンズ４０ｂ側の端部とレンズ４０ｂの非透光範囲Ｍとの間に押し込みかつ第２の空間Ｂから第１の空間Ａに向かって動かすことにより、工具５１の先端がレンズ４０ｂの非透光範囲Ｍを押す。このため、レンズ４０ｂが第２の空間Ｂから第１の空間Ａに向かってずれる。こうして、レンズ４０ｂを鏡筒３９から取り出す。
【００７２】
前述した工具５１は、少なくとも先端などの一部が孔４９ａ，４９ｂを通って鏡筒３９内に侵入可能で、かつ該少なくとも一部が孔４９ａ，４９ｂを通って鏡筒３９内に挿入されると前記レンズ４０ａ，４０ｂを鏡筒３９から分離されることが可能である。
【００７３】
本実施形態によれば、第１の空間Ａと第２の空間Ｂのうち一方から鏡筒３９内に圧入されたレンズの第１の空間Ａと第２の空間Ｂのうち他方側を、鏡筒３９に設けられた孔４９ａ，４９ｂから挿入された工具５１で押すことにより、レンズ４０ａ，４０ｂを鏡筒３９から容易に取り外すことができる。また、取り外されたレンズの再利用や資源の分別回収を容易に行うことができる。
【００７４】
鏡筒３９の孔４９ａがレンズ４０ａの光軸方向Ｏに沿って設けられているので、孔４９ａから挿入した工具５１を第１の空間Ａと第２の空間Ｂのうち一方から鏡筒３９内に圧入されたレンズ４０ａの第１の空間Ａと第２の空間Ｂのうち他方側に当接させ、工具５１でレンズ４０ａを光軸方向Ｏに沿って押すことにより、レンズ４０ａを鏡筒３９から容易に取り外すことができる。
【００７５】
鏡筒３９の孔４９ｂがレンズ４０ｂの光軸方向Ｏに対して交差する方向に沿って設けられているので、孔４９ｂから挿入した工具５１を第１の空間Ａと第２の空間Ｂのうち一方から鏡筒３９内に圧入されたレンズ４０ｂに当接させ、工具５１の先端でレンズ４０ｂを光軸方向Ｏに沿って押すことにより、レンズ４０ｂが第２の空間Ｂから第１の空間Ａに向かってずれる。こうして、レンズ４０ｂを鏡筒３９から容易に取り外すことができる。
【００７６】
孔４９ａ，４９ｂがレンズ４０ａ，４０ｂの非透光範囲Ｍに面しているので、鏡筒３９内に挿入された工具５１がレンズ４０ａ，４０ｂの非透光範囲Ｍに当接する。このため、工具５１がレンズ４０ａ，４０ｂの非透光範囲Ｍに当接するので、鏡筒３９内に圧入されたレンズ４０ａ，４０ｂの透光範囲Ｌを傷つけることなく、レンズ４０ａ，４０ｂを鏡筒３９から取り外すことができる。それゆえ、取り外されたレンズ４０ａ，４０ｂの再利用や資源の分別回収をすることができる。
【００７７】
鏡筒３９の孔４９ａ，４９ｂがレンズ４０ａ，４０ｂより一つ少ない数以上設けられているので、鏡筒３９内に最後に残った工具５１挿入用の孔４９ａ，４９ｂが設けられていないレンズ４０ａ，４０ｂに、鏡筒３９内に挿入された工具５１を突き当てることにより、レンズ４０ａ，４０ｂを鏡筒３９外に取り出すことができる。それゆえ、鏡筒３９内に圧入された全てのレンズ４０ａ，４０ｂを容易に鏡筒３９から取り外すことができる。
【００７８】
孔４９ａ，４９ｂが鏡筒３９にレンズ４０ａ，４０ｂの光軸Ｏを中心として周方向に複数個設けられているので、鏡筒３９に複数個設けられた孔４９ａ，４９ｂからレンズ４０ａ，４０ｂを取り出す工具５１を同時に複数個入れ、これらの工具５１でレンズ４０ａ，４０ｂを押すことにより、一枚のレンズ４０ａ，４０ｂを傾かせずに鏡筒３９から取り外すことができる。このため、レンズ４０ａ，４０ｂを鏡筒３９に噛ませること無く、また、レンズ４０ａ，４０ｂに傷を付けることなく圧入されたレンズ４０ａ，４０ｂを鏡筒３９から容易に取り外すことができる。それゆえ、取り外されたレンズ４０ａ，４０ｂの再利用や資源の分別回収をすることができる。
【００７９】
鏡筒３９とレンズ４０ａ，４０ｂが工具５１挿入用の孔４９ａ，４９ｂと異なる位置に設けられかつレンズ４０ａ，４０ｂが鏡筒３９内から外れることを防止するためのレンズ抜け防止用接着剤５０で接着されているので、レンズ４０ａ，４０ｂが振動等により鏡筒３９から外れることを防止できる。また、孔４９ａ，４９ｂがレンズ抜け防止用接着剤５０で覆われないようにすることで、鏡筒３９からレンズ４０ａ，４０ｂを取り外す際に、孔に工具５１を入れることができ、鏡筒３９からレンズ４０ａ，４０ｂを容易に取り外すことができる。
【００８０】
次に、本発明の第２の実施形態にかかるレンズブロックを図８を参照して説明する。なお、前述した第１の実施形態と同一構成部分には、同一符号を付して重複する説明を省略する。
【００８１】
本実施形態では、図８に示すように、孔４９ａ，４９ｂは薄肉部５２で塞がれている。薄肉部５２は、鏡筒３９の周壁の厚みよりも厚みが薄い。薄肉部５２は、鏡筒３９の内周面と面一であるとともに、鏡筒３９の外周面から凹に形成されている。このため、薄肉部５２は、孔４９ａ，４９ｂ内にドライバ等の工具５１を突き刺すことにより、破られる。こうして、鏡筒３９に、薄肉部５２で塞がれた孔４９ａ，４９ｂが形成される。
【００８２】
次に、鏡筒３９に圧入されたレンズ４０の鏡筒３９からの取り出し手順について説明する。まず、薄肉部５２に工具５１を突き刺す。こうして、鏡筒３９に第１実施形態の同様の孔４９ａ，４９ｂが形成される。そして、第１の実施形態と同様に、孔４９ａ，４９ｂにドライバ等の工具５１を差し込み、レンズ４０ａ，４０ｂを工具５１で押すことにより、レンズ４０ａが第２の空間Ｂから第１の空間Ａに向かってずれ、レンズ４０ｂが第１の空間Ａから第２の空間Ｂに向かってずれる。こうして、レンズ４０ａ，４０ｂを鏡筒３９から取り出される。
【００８３】
本実施形態によれば、孔４９ａ，４９ｂが薄肉部５２により塞がれているので、レンズ４０ａ，４０ｂを鏡筒３９から取り外す際に、薄肉部５２に工具５１を突き刺すことにより、薄肉部５２を突き破ることができる。このため、鏡筒３９に工具５１を差し込む孔４９ａ，４９ｂが形成され、レンズ４０ａ，４０ｂにこの孔４９ａ，４９ｂから挿入された工具５１を突き当てることにより、鏡筒３９からレンズ４０ａ，４０ｂを容易に取り外すことができる。また、鏡筒３９にはじめから孔４９ａ，４９ｂが開いていないので、レンズ４０ａ，４０ｂへのごみや水分の付着を防ぐことができる。
【００８４】
次に、本発明の第３の実施形態にかかるレンズブロックを図９ないし図１２を参照して説明する。なお、前述した第１の実施形態と同一構成部分には、同一符号を付して重複する説明を省略する。
【００８５】
本実施形態では、孔４９ａ，４９ｂの代わりに、溝５３を設けている。溝５３は、溝５３は、大径部３９ａと小径部３９ｂとの双方に設けられ、レンズ４０の光軸Ｏと平行に（に沿って）伸びている。溝５３は、大径部３９ａと小径部３９ｂの開口部を形成する縁に開口しているとともに、鏡筒３９の内周面から凹状に形成されている。溝５３は、鏡筒３９の第１の空間Ａと第２の空間Ｂとに亘って設けられ、即ち、溝５３は、第１の空間Ａと、第２の空間Ｂとを互いに連通している。溝５３は、図１０に示すように、鏡筒３９に周方向に等間隔に複数設けられている。溝５３の幅は、図６に示すように、ドライバ等の工具５１の外径よりも大きい。溝５３には、工具５１が差し込まれる。このため、溝５３は、溝５３内に挿入された工具５１が後述するレンズ４０ａ，４０ｂの非透光範囲Ｍに接触する位置に設けられている。
【００８６】
溝５３は、接着剤５０が充填されてなく、該接着剤５０でふさがれていない。溝５３内には、レンズ４０ａ，４０ｂを鏡筒３９から取り外すことが可能な工具５１の先端が侵入可能である。即ち、溝５３は、前述した工具５１挿入用の孔（空間）である。なお、本実施形態では、接着剤５０は、溝５３と異なる位置に設けられている。
【００８７】
次に、鏡筒３９に圧入されたレンズ４０a，４０ｂを鏡筒３９から取り出す手順を、以下説明する。まず、図１１に示すように、鏡筒３９の小径部３９ｂに設けられた溝５３内にドライバ等の工具５１の先端を差し込み、そのまま工具５１の先端を第２の空間Ｂを通して第１の空間Ａ内に挿入する。そして、差し込んだ工具５１の先端をレンズ４０ｂの非透光範囲Ｍに引っ掛ける。そして、工具５１を、鏡筒３９内から外に引っ張るなどして、第１の空間Ａから第２の空間Ｂに向かって動かすことにより、工具５１の先端がレンズ４０の非透光範囲Ｍを鏡筒３９内から外に引っ張る。このため、レンズ４０ｂが第１の空間Ａから第２の空間Ｂ側に引き出される。こうして、レンズ４０ｂを鏡筒３９から取り出す。
【００８８】
また、図１２に示すように、鏡筒３９の大径部３９ａに設けられた溝５３内にドライバ等の工具５１の先端を差し込み、そのまま工具５１の先端を第１の空間Ａを通して第２の空間Ｂ内に挿入する。そして、差し込んだ工具５１の先端をレンズ４０ａの非透光範囲Ｍに引っ掛ける。そして、工具５１を、鏡筒３９内から外に引っ張るなどして、第２の空間Ｂから第１の空間Ａに向かって動かすことにより、工具５１の先端がレンズ４０の非透光範囲Ｍを鏡筒３９内から外に引っ張る。このため、レンズ４０ａが第２の空間Ｂから第１の空間Ａ側に引き出される。こうして、レンズ４０ａを鏡筒３９から取り出す。
【００８９】
本実施形態によれば、第１の空間Ａと第２の空間Ｂのうち一方から鏡筒３９内に圧入されたレンズ４０ａ，４０ｂの第１の空間Ａと第２の空間Ｂのうち他方側を、鏡筒３９に設けられた溝５３から挿入された工具５１で引っ掛け、さらに、引っ張ることにより、鏡筒３９からレンズ４０ａ，４０ｂを容易に取り外すことができる。また、鏡筒３９の周方向の外表面が別の構造体で覆われているときでもレンズ４０ａ，４０ｂを鏡筒３９から取り外すことができる。
【００９０】
溝５３が鏡筒３９にレンズ４０ａ，４０ｂの光軸Ｏを中心として周方向に複数個設けられているので、鏡筒３９に複数個設けられた溝５３からレンズ４０ａ，４０ｂを取り出す工具５１を同時に複数個入れ、これらの工具５１でレンズ４０ａ，４０ｂを引っ掛け、さらに、引っ張ることにより、、一枚のレンズ４０ａ，４０ｂを傾かせずに鏡筒３９から取り外すことができる。このため、レンズ４０ａ，４０ｂを鏡筒３９に噛ませること無く、また、レンズ４０ａ，４０ｂに傷を付けることなく圧入されたレンズ４０ａ，４０ｂを鏡筒３９から容易に取り外すことができる。それゆえ、取り外されたレンズ４０ａ，４０ｂの再利用や資源の分別回収をすることができる。
【００９１】
また、本発明では、図１３に示すように、鏡筒３９内に二つ以上のレンズ４０（図１３では四つ）を収容し、レンズ４０の枚数より一つ少ない数以上の孔４９ｂを設けても良い。即ち、一つのレンズ４０には、該レンズ４０を取り外すための工具５０挿入用の孔４９ｂが設けられていなくても良い。
【００９２】
また、図１３に示す場合では、鏡筒３９内は、前述した第１の空間Ａと第２の空間Ｂとが、光軸Ｏに沿って、交互に設けられている。また、各レンズ４０は、第１の空間Ａと第２の空間Ｂとのうち一方側から鏡筒３９内に圧入される。この場合、鏡筒３９に圧入されたレンズ４０を鏡筒３９内から取り外す際には、前述した第１の実施形態と同様の方法で、孔４９ａを通して鏡筒３９内に工具の先端などを挿入して、レンズ４０を鏡筒３９から取り出す。そして、工具５０挿入用の孔４９ｂが設けられていないレンズ４０が最後に残り、該鏡筒３９内に残った最後のレンズ４０ｃに、鏡筒３９内に挿入された工具５１を突き当てることにより、レンズ４０ｃを鏡筒３９外に取り出す。こうして、全てのレンズ４０，４０ｃは、鏡筒３９から取り出される。
【００９３】
さらに、本発明では、図１４に示すように、鏡筒３９内に複数のレンズ４０を収容し、溝５３が全ての第１の空間Ａと第２の空間Ｂとを互いに連通しても良い。この場合も、鏡筒３９に圧入されたレンズ４０を鏡筒３９から取り外す際には、前述した第３の実施形態と同様に、工具５１を用いる。
【００９４】
前述した実施形態では、孔４９ａ，４９ｂ及び溝５３は、鏡筒３９に周方向に等間隔に設けられている。しかしながら、本発明では、孔４９ａ，４９ｂ及び溝５３は、鏡筒３９に周方向に等間隔に設けられていなくても良い。さらに、特に図１３に示す場合において、本発明では、孔４９ａ，４９ｂ及び溝５３を鏡筒３９の周方向に複数設けなくても良い。また、レンズ４０，４０ａ，４０ｂを接着剤５０で鏡筒３９に取り付けたが、本発明では、該接着剤５０を必ずしも用いなくても良い。
【００９５】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００９６】
【図１】本発明の第１の実施形態にかかる画像形成装置の要部を示す説明図である。
【図２】図１に示された画像形成装置のレンズブロックの斜視図である。
【図３】図２中に示されたレンズブロックの側面図である。
【図４】図３に示されたレンズブロックの光学ユニットの断面図である。
【図５】図４中のＶ−Ｖ線に沿う断面図である。
【図６】図４に示されたレンズの光軸方向に沿って鏡筒に設けられた孔に挿入された工具がレンズに接触した状態を示す断面図である。
【図７】図４に示されたレンズの光軸に対して交差する方向に沿って鏡筒に設けられた孔に挿入された工具がレンズに接触した状態を示す断面図である。
【図８】本発明の第２の実施の形態にかかる光学ユニットを示す断面図である。
【図９】本発明の第３の実施の形態にかかる光学ユニットを示す断面図である。
【図１０】図９中のＸ−Ｘ線に沿う断面図である。
【図１１】図９に示された鏡筒の小径部内のレンズを工具により取り出す状態を示す断面図である。
【図１２】図９に示された鏡筒の大径部内のレンズを工具により取り出す状態を示す断面図である。
【図１３】図４に示された光学ユニットの変形例を示す断面図である。
【図１４】図９に示された光学ユニットの変形例を示す断面図である。
【符号の説明】
【００９７】
１  画像形成装置
４  画像読み取りユニット
１６  レンズブロック
３９  鏡筒
４０，４０ａ，４０ｂ  レンズ
４９ａ，４９ｂ  孔
５０  レンズ抜け防止用接着剤
５１  工具
５２  薄肉部
５３  溝
Ａ  第１の空間
Ｂ  第２の空間
Ｏ  光軸
Ｌ  透光範囲
Ｍ  非透光範囲
【図１】
2006133457.tif 000003
【図２】
2006133457.tif 000004
【図３】
2006133457.tif 000005
【図４】
2006133457.tif 000006
【図５】
2006133457.tif 000007
【図６】
2006133457.tif 000008
【図７】
2006133457.tif 000009
【図８】
2006133457.tif 000010
【図９】
2006133457.tif 000011
【図１０】
2006133457.tif 000012
【図１１】
2006133457.tif 000013
【図１２】
2006133457.tif 000014
【図１３】
2006133457.tif 000015
【図１４】
2006133457.tif 000016